(57)【要約】ページ内の印刷用紙上に印刷される第一領域に配置されている画像要素と前記ページ内の前記印刷用紙上に印刷されない第二領域に配置されている画像要素とを互いに異なる形式で画面表示することを特徴とする印刷結果表示方法。
2004102373.tif 000002
【特許請求の範囲】
【請求項１】
ページ内の印刷用紙上に印刷される第一領域に配置されている画像要素と前記ページ内の前記印刷用紙上に印刷されない第二領域に配置されている画像要素とを互いに異なる形式で画面表示することを特徴とする印刷結果表示方法。
【請求項２】
前記第二領域は、前記ページがマージン無しの設定で印刷されると前記印刷用紙からはみ出す領域であることを特徴とする請求項１に記載の印刷結果表示方法。
【請求項３】
前記ページの印刷用紙サイズの設定が変更された場合、前記ページに配置されている画像要素の画面上の大きさを実質的に変更せずに、前記第一領域と前記第二領域の境界を前記印刷用紙サイズのアスペクト比に応じて変更することを特徴とする請求項１に記載の印刷結果表示方法。
【請求項４】
印刷用紙サイズのアスペクト比に対応したアスペクト比の矩形領域を前記画面に表示する段階と、
マージン無しの印刷条件が設定されている場合、前記矩形領域内に前記第一領域と前記第二領域とを表示した前記画面を介して、前記矩形領域のアスペクト比を一定に維持した拡大縮小操作を受け付ける段階と、
マージン無しの印刷条件が設定されている場合、前記画像要素の前記矩形領域内の印刷をマージン無しの設定で指示する段階と、
を含むことを特徴とする請求項１に記載の印刷結果表示方法。
【請求項５】
印刷用紙サイズのアスペクト比に対応したアスペクト比の矩形領域を前記画面に表示する段階と、
マージン無しの印刷条件が設定されている場合、前記矩形領域を前記第一領域として表示し前記矩形領域の周囲を前記第二領域として表示した前記画面を介して、前記矩形領域のアスペクト比を一定に維持した拡大縮小操作を受け付ける段階と、
マージン無しの印刷条件が設定されている場合、前記画像要素の前記第一領域と前記第二領域を合併させた第三領域内の印刷をマージン無しの設定で指示する段階と、
を含むことを特徴とする請求項１に記載の印刷結果表示方法。
【請求項６】
ページに画像要素を配置する段階と、
前記ページ内の印刷用紙上に印刷される第一領域に配置されている前記画像要素と前記ページ内の前記印刷用紙上に印刷されない第二領域に配置されている前記画像要素とを互いに異なる形式で画面表示する段階と、
前記ページのレイアウトを保存する段階と、
を含むことを特徴とするレイアウト編集方法。
【請求項７】
前記第二領域は、マージン無しの設定で印刷されると前記印刷用紙からはみ出す領域であることを特徴とする請求項６に記載のレイアウト編集方法。
【請求項８】
印刷用紙サイズの設定が変更された場合、前記ページ内に配置されている画像要素の画面上の大きさを実質的に変更せずに、前記第一領域と前記第二領域の境界を前記印刷用紙サイズのアスペクト比に応じて変更することを特徴とする請求項６に記載のレイアウト編集方法。
【請求項９】
前記画面表示する段階において、前記ページ内の配置が予め決められている未定の画像要素に対応する領域を前記ページに配置されている既定の前記画像要素とともに表示した画面を介して前記規定の画像要素の配置の変更操作を受け付け、
前記配置する段階において、前記変更操作に応じて前記規定の画像要素を前記ページに配置することを特徴とする請求項６に記載のレイアウト編集装置。
【請求項１０】
ページ内の印刷用紙上に印刷される第一領域に配置されている画像要素と前記ページ内の前記印刷用紙上に印刷されない第二領域に配置されている画像要素とを互いに異なる形式で画面表示する手段と、
前記ページの印刷指示を出力する手段と、
を備えることを特徴とする印刷制御装置。
【請求項１１】
印刷用紙サイズのアスペクト比に対応したアスペクト比の矩形領域を前記画面に表示する手段と、
マージン無しの印刷条件が設定されている場合、前記矩形領域内に前記第一領域と前記第二領域とを表示した前記画面を介して、前記矩形領域のアスペクト比を一定に維持した状態で拡大縮小操作を受け付ける手段と、
マージン無しの印刷条件が設定されている場合、前記画像要素の前記矩形領域内の印刷をマージン無しの設定で指示する手段と、
を備えることを特徴とする印刷制御装置。
【請求項１２】
印刷用紙サイズのアスペクト比に対応したアスペクト比の矩形領域を前記画面に表示する手段と、
マージン無しの印刷条件が設定されている場合、前記矩形領域を前記第一領域として表示し前記矩形領域の周囲を前記第二領域として表示した前記画面を介して、前記矩形領域のアスペクト比を一定に維持した拡大縮小操作を受け付ける手段と、
マージン無しの印刷条件が設定されている場合、前記画像要素について前記第一領域と前記第二領域を合併させた第三領域内の印刷をマージン無しの設定で指示する手段と、
を含むことを特徴とする印刷制御装置。
【請求項１３】
ページ内の印刷用紙上に印刷される第一領域に配置されている画像要素と前記ページ内の前記印刷用紙上に印刷されない第二領域に配置されている画像要素とを互いに異なる形式で画面表示する手段と、
前記ページの印刷指示を出力する手段と、
としてコンピュータを機能させることを特徴とする印刷制御プログラムを記録したコンピュータ読み取り可能な記録媒体。
【請求項１４】
印刷用紙サイズのアスペクト比に対応したアスペクト比の矩形領域を前記画面に表示する手段と、
マージン無しの印刷条件が設定されている場合、前記矩形領域を前記第一領域として表示し前記矩形領域の周囲を前記第二領域として表示した前記画面を介して、前記矩形領域のアスペクト比を一定に維持した拡大縮小操作を受け付ける手段と、
マージン無しの印刷条件が設定されている場合、前記画像要素の前記第一領域と前記第二領域を合併させた第三領域内の印刷をマージン無しの設定で指示する手段と、
としてコンピュータを機能させることを特徴とする印刷制御プログラムを記録したコンピュータ読みとり可能な記録媒体。
【請求項１５】
印刷用紙サイズのアスペクト比に対応したアスペクト比の矩形領域を前記画面に表示する手段と、
マージン無しの印刷条件が設定されている場合、前記矩形領域を前記第一領域として表示し前記矩形領域の周囲を前記第二領域として表示した前記画面を介して、前記矩形領域のアスペクト比を一定に維持した拡大縮小操作を受け付ける手段と、
マージン無しの印刷条件が設定されている場合、前記画像要素について前記第一領域と前記第二領域を合併させた第三領域内の印刷をマージン無しの設定で指示する手段と、
としてコンピュータを機能させることを特徴とする印刷制御プログラムを記録したコンピュータ読み取り可能な記録媒体。
【発明の詳細な説明】
【技術分野】
【０００１】  本発明は、印刷結果表示方法、レイアウト編集装置、及び印刷制御装置に関する。
【背景技術】
【０００２】  特許文献１に開示される画像編集装置等のレイアウト編集機能を有するシステムには、従来、印刷設定に応じた印刷結果を画面で確認するためのプレビュー機能を備えたものが知られている。プレビュー画面では、アプリケーションプログラムによってレイアウトが編集されたページがプリンタドライバの印刷設定で用紙に印刷された結果を、実際に印刷することなく画面で確認することができる。プレビュー機能を備えたアプリケーションプログラムでは、プレビュー画面が気に入らなければ、印刷前に、画面表示されたページレイアウトを印刷設定に応じて再編集したり、印刷設定を変更したりすることができる。したがって、プレビュー機能を備えたアプリケーションプログラムは、実際に印刷してページレイアウトを確認する場合に比べて印刷用紙の浪費と印刷時間の浪費を抑制できる。【０００３】  しかし、従来のプレビュー画面では、印刷対象の画像要素のうち印刷用紙上に印刷される領域の画像だけが表示される。例えば、画面上で図形、ディジタル写真、文字などの画像要素のレイアウト編集操作を受け付けるアプリケーションプログラムのプレビュー画面では、ページに配置された画像要素は、マージン領域より内側の領域だけが画面表示される。したがって従来のプレビュー画面では、印刷を実行した場合に、印刷対象になっている画像要素のどの領域が印刷されないのかをプレビュー画面で即座に把握することが難しい。
【発明の開示】
【発明が解決しようとする課題】
【０００４】  本発明は、かかる問題に鑑みて創作されたものであって、印刷対象の画像要素について印刷用紙上に印刷される領域の内容と印刷用紙上に印刷されない領域の内容とをユーザが画面で確認できる印刷結果表示方法、レイアウト編集方法及び印刷制御装置を提供することを目的とする。
【課題を解決するための手段】
【０００５】  上記目的を達成する印刷結果表示方法は、ページ内の印刷用紙上に印刷される第一領域に配置されている画像要素と前記ページ内の前記印刷用紙上に印刷されない第二領域に配置されている画像要素とを互いに異なる形式で画面表示する。ページ内の印刷用紙上に印刷される第一領域と印刷用紙上に印刷されない第二領域とで表示形式を変えて各領域の画像要素を画面表示することにより、各領域に配置される画像要素の内容をユーザが画面で確認できる状態で、ページ内のどの領域が用紙上に印刷され、ページ内のどの領域が用紙上に印刷されないかを、ユーザは画面で確認できるようになる。【０００６】  前記第二領域は、前記ページがマージン無しの設定で印刷されると前記印刷用紙からはみ出す領域であることが望ましい。一般に、マージンが出ないように印刷するためには、実際の印刷用紙サイズより大きい印刷用紙において実際の印刷用紙より広い範囲に画像が形成されるように印刷する。すなわち、マージン無しの設定では、実際の印刷用紙からはみ出して印刷される領域が存在する。マージン無しの設定で印刷されると印刷用紙からはみ出す領域を第二領域とすることにより、ページに配置された画像要素について印刷用紙からはみ出して印刷される領域の内容を画面で確認できるようになる。【０００７】  前記ページの印刷用紙サイズの設定が変更された場合、前記ページに配置されている画像要素の画面上の大きさを実質的に変更せずに、前記第一領域と前記第二領域の境界を前記印刷用紙サイズのアスペクト比に応じて変更することが望ましい。例えば、印刷用紙サイズの設定が小さく変更されたとき、印刷用紙サイズの変更に応じて画像要素の画面上の大きさを小さくすると、画面上で画像要素が見にくくなる場合がある。そこで、印刷用紙サイズの設定が変更された場合でも、画像要素の画面上の大きさを実質的に変更せずに、印刷用紙上に印刷される領域と印刷用紙上に印刷されない領域の境界を印刷用紙サイズの変更に応じて変更することにより、ページに配置された画像要素が画面上で見にくくなることを防止できる。【０００８】  上記目的を達成する印刷結果表示方法は、印刷用紙サイズのアスペクト比に対応したアスペクト比の矩形領域を前記画面に表示する段階と、マージン無しの印刷条件が設定されている場合、前記矩形領域内に前記第一領域と前記第二領域とを表示した前記画面を介して、前記矩形領域のアスペクト比を一定に維持した拡大縮小操作を受け付ける段階と、マージン無しの印刷条件が設定されている場合、前記画像要素の前記矩形領域内の印刷をマージン無しの設定で指示する段階と、を含むことが望ましい。これにより、マージン無しの条件が設定されている場合に、ユーザは、印刷用紙上に印刷される領域と印刷用紙からはみ出して印刷される領域とを確認しながら画像要素の一部の領域を印刷対象領域として設定することができる。【０００９】  上記目的を達成する印刷結果表示方法は、印刷用紙サイズのアスペクト比に対応したアスペクト比の矩形領域を前記画面に表示する段階と、マージン無しの印刷条件が設定されている場合、前記矩形領域を前記第一領域として表示し前記矩形領域の周囲を前記第二領域として表示した前記画面を介し��、前記矩形領域のアスペクト比を一定に維持した拡大縮小操作を受け付ける段階と、マージン無しの印刷条件が設定されている場合、前記ページに配置されている画像要素の前記第一領域と前記第二領域を合併させた第三領域内の印刷をマージン無しの設定で指示する段階と、を含むことが望ましい。これにより、マージン無しの条件が設定されている場合に、ユーザは、印刷用紙上に印刷される領域と印刷用紙からはみ出して印刷される領域とを確認しながら画像要素の一部の領域を印刷対象領域として設定することができる。【００１０】  上記目的を達成するレイアウト編集方法は、ページに画像要素を配置する段階と、前記ページ内の前記印刷用紙上に印刷されない第二領域に配置されている前記画像要素とを互いに異なる形式で画面表示する段階と、前記ページのレイアウトを保存する段階と、を含む。ページ内の印刷用紙上に印刷される第一領域と印刷用紙上に印刷されない第二領域とで表示形式を変えて各領域の画像要素を画面表示することにより、各領域に配置される画像要素の内容をユーザが画面で確認できる状態で、ページ内のどの領域が用紙上に印刷され、ページ内のどの領域が用紙上に印刷されないかを、ユーザは画面で確認できるようになる。【００１１】  前記第二領域は、マージン無しの設定で印刷されると前記印刷用紙からはみ出す領域であることが望ましい。マージン無しの設定で印刷されると印刷用紙からはみ出す領域を第二領域とすることにより、ページに配置された画像要素について印刷用紙からはみ出して印刷される領域の内容を画面で確認できるようになる。【００１２】  印刷用紙サイズの設定が変更された場合、前記ページ内に配置されている画像要素の画面上の大きさを実質的に変更せずに、前記第一領域と前記第二領域の境界を前記印刷用紙サイズのアスペクト比に応じて変更することが望ましい。印刷用紙サイズの設定が変更された場合でも、画像要素の画面上の大きさを実質的に変更せずに、印刷用紙上に印刷される領域と印刷用紙上に印刷されない領域の境界を印刷用紙サイズの変更に応じて変更することにより、ページに配置された画像要素が画面上で見にくくなることを防止できる。【００１３】  前記画面表示する段階において、前記ページ内の配置が予め決められている未定の画像要素に対応する領域を前記ページに配置されている既定の前記画像要素とともに表示した画面を介して前記既定の画像要素の配置の変更操作を受け付け、前記配置する段階において、前記変更操作に応じて前記既定の画像要素を前記ページに配置することが望ましい。既定の画像要素及び未定の画像要素をページに配置することにより、所謂テンプレートを作成することができる。未定の画像要素に対応する領域を既定の前記画像要素とともに表示した画面を介して既定の画像要素の配置の変更操作を受け付けることにより、ユーザは未定の画像要素に対する既定の画像要素の配置を確認しながらテンプレートを作成できるようになる。【００１４】  上記目的を達成する印刷制御装置は、ページ内の印刷用紙上に印刷される第一領域に配置されている画像要素と前記ページ内の前記印刷用紙上に印刷されない第二領域に配置されている画像要素とを互いに異なる形式で画面表示する���段と、前記ページの印刷指示を出力する手段と、を備える。【００１５】  上記目的を達成する印刷制御装置は、印刷用紙サイズのアスペクト比に対応したアスペクト比の矩形領域を前記画面に表示する手段と、マージン無しの印刷条件が設定されている場合、前記矩形領域内に前記第一領域と前記第二領域とを表示した前記画面を介して、前記矩形領域のアスペクト比を一定に維持した状態で拡大縮小操作を受け付ける手段と、マージン無しの印刷条件が設定されている場合、前記画像要素の前記矩形領域内の印刷をマージン無しの設定で指示する手段と、を備える。【００１６】  上記目的を達成する印刷制御装置は、印刷用紙サイズのアスペクト比に対応したアスペクト比の矩形領域を前記画面に表示する手段と、マージン無しの印刷条件が設定されている場合、前記矩形領域を前記第一領域として表示し前記矩形領域の周囲を前記第二領域として表示した前記画面を介して、前記矩形領域のアスペクト比を一定に維持した拡大縮小操作を受け付ける手段と、マージン無しの印刷条件が設定されている場合、前記画像要素について前記第一領域と前記第二領域を合併させた第三領域の印刷をマージン無しの設定で指示する手段と、を含む。【００１７】  上記目的を達成するコンピュータ読み取り可能な記録媒体に記録された印刷制御プログラムは、ページ内の印刷用紙上に印刷される第一領域に配置されている画像要素と前記ページ内の前記印刷用紙上に印刷されない第二領域に配置されている画像要素とを互いに異なる形式で画面表示する手段と、前記ページの印刷指示を出力する手段と、としてコンピュータを機能させる。【００１８】  上記目的を達成するコンピュータ読み取り可能な記録媒体に記録された印刷制御プログラムは、印刷用紙サイズのアスペクト比に対応したアスペクト比の矩形領域を前記画面に表示する手段と、マージン無しの印刷条件が設定されている場合、前記矩形領域を前記第一領域として表示し前記矩形領域の周囲を前記第二領域として表示した前記画面を介して、前記矩形領域のアスペクト比を一定に維持した拡大縮小操作を受け付ける手段と、マージン無しの印刷条件が設定されている場合、前記画像要素について前記第一領域と前記第二領域を合併させた第三領域内の印刷をマージン無しの設定で指示する手段と、としてコンピュータを機能させる。【００１９】  上記目的を達成する印刷結果表示プログラムは、印刷対象の画像要素がレイアウトされたページを、印刷用紙上に印刷される領域と印刷用紙上に印刷されない領域を識別可能かつ印刷用紙上に印刷されない領域の画像を認識可能に表示する印刷結果表示手段としてコンピュータを機能させる。【００２０】  前記印刷結果表示手段は、印刷対象の画像要素がレイアウトされたページを、マージン無しの設定で印刷されると印刷用紙からはみ出す領域の画像を認識可能に表示することが望ましい。
前記印刷結果表示手段は、印刷用紙サイズの設定が変更された場合、印刷対象の画像要素の画面上の大きさを実質的に変更せずに、印刷用紙上に印刷される領域と印刷用紙上に印刷されない領域の境界を印刷用紙サイズのアスペクト比の変更に応じて変更することが望ましい。【００２１】  上記目的を達成するレイアウト編集プログラムは、印刷対象の画像要素がレイアウトされたページを表示する画面であって、印刷用紙上に印刷される領域と印刷用紙上に印刷されない領域を識別可能かつ印刷用紙上に印刷されない領域の画像を認識可能に表示する画面を介して、画像要素の印刷レイアウトを編集する指示を受け付けるユーザインタフェース手段と、受け付けた指示に基づいて画像要素の印刷レイアウトを編集するレイアウト編集手段としてコンピュータを機能させる。【００２２】  前記ユーザインタフェース手段は、印刷対象の画像要素がレイアウトされたページを、マージン無しの設定で印刷されると印刷用紙からはみ出す領域の画像を認識可能に表示することが望ましい。
前記ユーザインタフェース手段は、印刷用紙サイズの設定が変更された場合、印刷対象の画像要素の画面上の大きさを実質的に変更せずに、印刷用紙上に印刷される領域と印刷用紙上に印刷されない領域の境界を印刷用紙サイズのアスペクト比の変更に応じて変更することが望ましい。【００２３】  前記レイアウト編集手段は、既定の画像要素及び未定の画像要素を含むページの印刷レイアウトを編集し、前記ユーザインタフェース手段は、前記ページに含まれる未定の画像要素に対応する領域を目視可能な画面を介して、既定の画像要素の印刷レイアウトを編集する指示を受け付けることが望ましい。
上記目的を達成する印刷結果表示装置は、印刷対象の画像要素がレイアウトされたページを、印刷用紙上に印刷される領域と印刷用紙上に印刷されない領域を識別可能かつ印刷用紙上に印刷されない領域の画像を認識可能に表示する印刷結果表示手段を備える。【００２４】  上記目的を達成するレイアウト編集装置は、印刷対象の画像要素がレイアウトされたページを表示する画面であって、印刷用紙上に印刷される領域と印刷用紙上に印刷されない領域を識別可能かつ印刷用紙上に印刷されない領域の画像を認識可能に表示する画面を介して、画像要素の印刷レイアウトを編集する指示を受け付けるユーザインタフェース手段と、受け付けた指示に基づいて画像要素の印刷レイアウトを編集するレイアウト編集手段と、を備える。【００２５】  上記目的を達成する印刷制御プログラムは、印刷用紙のアスペクト比に対応したアスペクト比の矩形領域を、画面表示された画像要素上に設定する手段と、マージン無しの設定で印刷されると印刷用紙上に印刷される領域と印刷用紙上に印刷されない領域とを識別可能に前記矩形領域内を表示する手段と、画面表示された画像要素の前記矩形領域内を印刷装置にマージン無しの設定で印刷処理させる手段としてコンピュータを機能させる。【００２６】  上記目的を達成する印刷制御プログラムは、印刷用紙のアスペクト比に対応したアスペクト比の矩形の第一の領域を、画面表示された画像要素上に設定する手段と、マージン無しの設定で印刷されると印刷用紙からはみ出して印刷される第二の領域を前記矩形領域外に表示する手段と、画面表示された画像要素の前記第一の領域及び前記第二の領域を合併させた第三の領域を印刷装置にマージン無しの設定で印刷処理させる手段としてコンピュータを機能させる。【００２７】  上記目的を達成する印刷制御装置は、印刷用紙のアスペクト比に対応したアスペクト比の矩形領域を、画面表示された画像要素上に設定する手段と、マージン無しの設定で印刷されると印刷用紙上に印刷される領域と印刷用紙からはみ出して印刷される領域とを識別可能に前記矩形領域内を表示する手段と、画面表示された画像要素の前記矩形領域内を印刷装置にマージン無しの設定で印刷処理させる手段と、を備える。【００２８】  上記目的を達成する印刷制御装置は、印刷用紙のアスペクト比に対応したアスペクト比の矩形の第一の領域を、画面表示された画像要素上に設定する手段と、マージン無しの設定で印刷されると印刷用紙からはみ出して印刷される第二の領域を前記矩形領域外に表示する手段と、画面表示された画像要素の前記第一の領域及び前記第二の領域を合併させた第三の領域を印刷装置にマージン無しの設定で印刷処理させる手段と、を備える。
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【図面の簡単な説明】
【００２９】［図１］本発明の第一実施例に係る画面を示す模式図である。
［図２］本発明の第一実施例に係るブロック図である。
［図３］本発明の第一実施例に係るレイアウト定義ファイルを示す図である。
［図４］本発明の第一実施例に係る画面を示す模式図である。
［図５］本発明の第一実施例に係る印刷結果を示す模式図である。
［図６］本発明の第一実施例に係る放画領域の座標を示す模式図である。
［図７］本発明の第一実施例に係る放画領域及び編集領域を示す模式図である。
［図８］本発明の第一実施例に係る画面を示す模式図である。
［図９］本発明の第一実施例に係る画面を示す模式図である。
【符号の説明】
【００３０】１  ＰＣ（印刷結果表示装置、レイアウト編集装置、印刷制御装置）、１４  入力装置（ユーザインタフェース手段）、１５  表示装置（印刷結果表示手段、ユーザインタフェース手段）、２４  未定画像要素に対応する領域の外縁、２６  印刷用紙上に印刷されない領域
【発明を実施するための最良の形態】
【００３１】  以下、本発明の実施の形態を実施例に基づいて説明する。
（第一実施例）
図２は、本発明の第一実施例による印刷制御装置として機能するＰＣ（Ｐｅｒｓｏｎａｌ  Ｃｏｍｐｕｔｅｒ）１のハードウェア構成を示すブロック図である。ＰＣ１は、ＣＰＵ１１、ＲＯＭ１２、ＲＡＭ１３、入力装置１４、表示装置１５、及び外部記憶装置１６を備え、これらはバス１７で相互に接続されている。ＣＰＵ１１はＲＯＭ１２や外部記憶装置１６に記憶されたプログラムを実行してＰＣ１の全体を制御する。また、ＣＰＵ１１は外部記憶装置１６に記憶されたレイアウト編集プログラムを実行することでＰＣ１をレイアウト編集装置として機能させる。本発明の実施例によるレイアウト編集プログラムは、パッケージアプリケーションであって本発明の実施例による印刷結果表示プログラムを内包する。ＲＯＭ１２は各種のプログラムやデータを予め記憶しているメモリである。ＲＡＭ１３は各種のプログラムやデータを一時的に記憶するメモリである。入力装置１４はマウスやキーボードなどで構成され、ページレイアウトの編集を指示するために用いられる。表示装置１５はＣＲＴやＬＣＤ（Ｌｉｑｕｉｄ  Ｃｒｙｓｔａｌ  Ｄｉｓｐｌａｙ）などで構成されている。外部記憶装置１６はハードディスクなどで構成され、オペレーティングシステム（ＯＳ）、レイアウト編集プログラム、画像要素を表す画像ファイル、後述するプリンタの放画領域などを記憶する。これらのプログラムや各種のデータは、所定のサーバからネットワークを介してダウンロードして入力してもよいし、リムーバブルメモリ等のコンピュータ読み取り可能な記憶媒体から読み出して入力してもよい。
以上、ＰＣ１のハードウェア構成について説明した。次に、レイアウト編集プログラムの実行によって実施される印刷結果表示方法について説明する。【００３２】  ディジタルスチルカメラなどで撮影した写真画像に、他の写真画像、イラスト画像、文字などの画像要素を合成して印刷することが一般に行われている。例えば誕生日のメッセージを表すイラスト画像の上に人物を撮影した写真画像を合成して印刷したり、写真画像の周囲を飾るための飾り縁をデザインしたイラスト画像を写真画像の上に合成して印刷したりすることが行われている。本実施例のレイアウト編集プログラムは、ディジタルスチルカメラによって記録された写真画像の上位レイヤーに飾り縁等を表すイラスト画像を合成し、合成した画像を印刷するためのレイアウト定義ファイルを作成するプログラムである。レイアウト定義ファイルは、所謂テンプレートを表すデータに相当する。【００３３】  レイアウト定義ファイルは、用紙サイズ毎、マージン毎に編集され、図３に示すように、画像要素毎にレイアウト枠を定義するスクリプトを記述したものである。レイアウト枠は用紙サイズ及びマージンが設定されたページに画像要素の位置及び大きさを定義する枠である。各スクリプトによってレイアウト枠が定義される画像要素のレイヤの上下関係は、先に記述されたスクリプトのレイヤが後に記述されたスクリプトのレイヤよりも上であるものとして解釈される。以下の説明では、レイアウト定義ファイルが完成しても画像を表すデータが定まっていない画像要素のことを未定画像要素といい、レイアウト定義ファイルを完成するまでに画像を表すデータが定まっている画像要素のことを既定画像要素というものとする。未定画像要素を表すデータは、例えば、プリンタに対してレイアウト定義ファイルを用いて印刷を指示する段階になってはじめて定まる画像ファイルである。レイアウト編集プログラムでは、未定画像要素を特定のスクリプト（図３の例では「スクリプト２」に相当する。）によって配置される画像要素として設定するための識別子（図３の例では「写真１」に相当する。）を用いて、当該スクリプトを記述することによって、未定画像要素の配置を定義する。レイアウト定義ファイルを用いて印刷を指示する段階では、その識別子に例えばディジタルカメラで作成した写真画像を表す画像ファイルを関連付けることができる。レイアウト定義ファイルに基づいて印刷対象の画像要素を合成するときには、その識別子に関連付けられた画像ファイルの画像が印刷対象の画像要素として処理される。【００３４】  本実施例のレイアウト編集プログラムでは、ディジタルカメラによって記録された写真画像が常に最下位層のレイヤで印刷可能範囲の外縁いっぱいに配置されるように、未定画像要素のレイアウト枠（図３の例では「スクリプト２」のレイアウト枠に相当する。）が画一的に設定される。また、本実施例のレイアウト編集プログラムは、既定画像要素のレイアウトの編集操作を画面を介して受け付け、編集操作に応じて既定画像要素のレイアウト枠を設定する。【００３５】  図１及び図４は、レイアウト編集プログラムによって表示される画面を示す模式図である。レイアウト編集プログラムは例えば図示するように���レビューウィンドウ２１、表示モード選択ウィンドウ２２、ツールボックス２３の３つのウィンドウを表示させる。
表示モード選択ウィンドウ２２は、表示モードを選択するためのボタンを表示するためのウィンドウである。ボタン２８、ボタン２９、ボタン３０、及びボタン３１が選択されると、ページの用紙サイズ及びマージンを設定した状態でプレビューウィンドウ２１に当該ページのプレビューを画面表示し、その画面を介して画像要素を配置する指示を受け付けるモードに遷移する。ボタン２７が選択されると、Ｌ判サイズマージン有り、Ｌ判サイズマージン無し、はがきサイズマージン有り、はがきサイズマージン無しの全ての印刷設定で印刷される共通の領域を表示した画面が表示され、その画面を介して画像要素を配置する指示を受け付けるモードに遷移する。【００３６】  プレビューウィンドウ２１は、ユーザが画像要素を配置するためのウィンドウである。ユーザはプレビューウィンドウ２１内に既定画像要素を配置することによってページレイアウトを編集する。すなわち、プレビューウィンドウ２１に既定画像要素が配置されると、ページに既定画像要素を配置させる指示がＰＣ１に受け付けられる。プレビューウィンドウ２１には、表示モードに応じた印刷結果のプレビューが表示される。プレビューウィンドウ２１では、未定画像要素に対応する領域の外縁２４が表示される。本実施例では、未定画像要素に対応する領域に文字列「ｐｈｏｔｏ」を規則的に多数配列することにより、未定画像要素に対応する領域を目視しやすくしている。【００３７】  プレビューウィンドウ２１の未定画像要素に対応する領域には、予め作成された画像ファイルが表す画像、キーボードで入力するテキストが表す文字列、画面上で描画する図形等を既定画像要素として配置することができる。
ツールボックス２３は、ユーザが配置しようとする画像要素を選択したり編集したりするための機能を呼び出すためのボタンを表示するウィンドウである。ボタン４４をクリックし、マウスのポインタで未定画像要素に対応する領域内に矩形領域を指定すると、予め外部記憶装置１６に記憶された既定画像要素の一覧を選択可能な画面が表示され、表示された既定画像要素を選択すると、指定した矩形領域に選択した既定画像要素が配置される。ボタン４６をクリックし、マウスのポインタで未定画像要素に対応する領域内に矩形領域を指定すると、指定した矩形領域にテキストを入力可能になり、入力したテキストが指定した矩形領域に配置される。図１及び図４は、「引っ越しました！」というテキストが配置された状態を示している。ボタン４８をクリックし、未定画像要素に対応する領域内でポインタをドラッグすると、ポインタの軌跡に直線がレイアウトされる。ボタン５０をクリックすると、プレビューウィンドウ２１に表示されている既定画像要素を選択可能になる。ボタン４２、ボタン４５、ボタン４７、ボタン４９及びボタン５１は、選択中の既定画像要素のレイヤを相対的に上位にしたり、下位にしたりするためのボタンである。【００３８】  プレビューウィンドウ２１に配置された既定画像要素は、印刷用紙上に印刷されない領域を含む全体が未定画像要素に対応する領域上に表示される。印刷用紙の周縁部のマージン領域に画像要素が配置されている場合と、マージン無しの印刷設定で印刷用紙からはみ出して印刷される領域に画像要素が配置されている場合とに、印刷用紙上に印刷されない領域が画像要素に生ずる。【００３９】  すなわち、画面上で放画領域に対応する領域より外側に配置された画像要素の領域は、印刷用紙上に印刷されない領域２６として表示される。本明細書で放画領域とは、特定の用紙サイズ及びマージンが設定されているときにプリンタが画像を出力する最大領域をいうものとする。より具体的には、特定の用紙サイズ及びマージンが設定された状態で無限大サイズの用紙に印刷した場合に、画像が形成され得る最大の領域を放画領域というものとする。外部記憶装置１６には図６に示すように用紙サイズ及びマージン毎に放画領域が予め記憶されている。放画領域は用紙サイズ及びマージンが設定されるとページ座標系で一意に特定される。具体的には例えば、４辺マージン有りの印刷設定では用紙サイズに対応する領域から４辺のマージンの絶対値を差し引いた領域が放画領域である。また例えば、４辺マージン無しの印刷設定では用紙サイズに対応する領域に４辺からはみ出す幅（負のマージン）の絶対値を加えた領域が放画領域である。より具体的には例えば、用紙サイズ及びマージンの設定としてＬ判サイズマージン有りが設定されると、放画領域は左上（３、３）、右下（１３２６、１８５０）で表される矩形の領域として特定される。尚、本実施例では、ページ座標系を、３６０ＤＰＩ（Ｄｏｔ  Ｐｅｒ  Ｉｎｃｈ）で印刷したときの１ピクセルに対応する距離が１に対応する座標系で表している。【００４０】  印刷用紙上に印刷されない画面上の領域は、印刷用紙上に印刷される画面上の領域との違いが識別でき、かつ、当該領域の画像要素の内容を認識で��るように表示される。具体的には例えば、印刷用紙上に印刷される領域と印刷されない領域の境界に境界線を表示する。印刷用紙上に印刷される領域と印刷されない領域の境界線は、放画領域に基づいて特定することができる。尚、画像要素のうち印刷用紙上に印刷されない領域の内容は、ユーザが正確に認識できる形式で表示する必要はなく、ユーザが概要を認識できる形式で表示すればよい。具体的には例えば、印刷用紙上に印刷されない領域では、既定画像要素の明るさを暗く表示したり、規則的に配列された黒点やハッチングを最上位レイヤーに表示したりしてもよい。図１及び図４には、印刷用紙に印刷されない領域２６の最上位レイヤーにハッチングを表示した例を示している。印刷対象の画像要素が、印刷用紙上に印刷されない領域と印刷用紙上に印刷される領域との違いが識別でき、かつ、印刷用紙上に印刷されない領域の画像を認識できるように表示されると、画像要素を画面上で配置することが容易になる。【００４１】  ボタン２８がクリックされると、用紙サイズがＬ判サイズに設定され、マージンがフチ無しに設定されたページのプレビューが表示されたプレビューウィンドウ２１に既定画像要素を配置可能なモードに遷移する。このモードでは、図１に示すように、Ｌ判の印刷用紙に対応する用紙の外縁２０と、未定画像要素に対応する領域の外縁２４が表示される。図５（Ａ）は、図１に示す画面上のレイアウトが実際に印刷されたＬ判サイズの印刷用紙を示している。尚、図５ではハッチングを付した領域は未定画像要素として写真画像が印刷された領域を示している。【００４２】  ボタン２９がクリックされると、図４に示すように、用紙サイズがＬ判サイズに設定され、マージンがフチ無しに設定されたページのプレビューが表示されたプレビューウィンドウ２１に既定画像要素を配置可能なモードに遷移する。このモードでは、未定画像要素に対応する領域の外縁２４が表示され、Ｌ判の印刷用紙に対応する用紙の外縁は表示されない。未定画像要素に対応する領域内で印刷用紙上に印刷されない領域２６の内縁５３は、Ｌ判サイズの印刷用紙の外縁に対応する。図５（Ｂ）は、図４に示す画面上のレイアウトが実際に印刷されたＬ判サイズの印刷用紙を示している。【００４３】  ボタン３０がクリックされると、用紙サイズがはがきサイズに設定され、マージンがフチ無しに設定されたページのプレビューが表示されたプレビューウィンドウ２１に既定画像要素を配置可能なモードに遷移する。
ボタン３１がクリックされると、用紙サイズがはがきサイズに設定され、マージンがフチ無しに設定されたプレビューが表示されたプレビューウィンドウ２１に既定画像要素を配置可能なモードに遷移する。【００４４】  ボタン２８、ボタン２９、ボタン３０、ボタン３１又はボタン２７がクリックされて上記４つのモード間でモードが遷移するとき、印刷される領域と印刷されない領域の境界は、印刷用紙サイズ又はマージンの設定の変更に伴う放画領域のアスペクト比の変更に応じて変更される。一方、上記４つのモード間でモードが遷移するとき、未定画像要素領域に対応する領域も、既定画像も、画面上の大きさが変わらない。このため、画像要素がモードの遷移によって見づらくなることが防止される。【００４５】  図７は、ページ内の配置が予め決められている未定画像要素と放画領域との位置関係を説明するための模式図である。前述したように放画領域は用紙サイズ及びマージンが設定されると一意に特定される。図７に示す例であれば、Ｌ判サイズ及びマージン有りが特定されると放画領域Ａが特定され、同様にはがきサイズ及びマージン無しが特定されると放画領域Ｂが特定される。放画領域が特定されると、放画領域と未定画像要素との位置関係は一意に特定される。具体的には例えば、放画領域は、その中心が未定画像要素の中心に一致し、未定画像要素に対応する領域に収まり当該放画領域の対向する二辺が未定画像要素の対向する二辺に重なるように未定画像要素に対して画一的に位置決めされる。例えばＬ判サイズでマージン有りの設定の場合、放画領域Ａは未定画像要素に対して相対的に横長であるため、放画領域Ａの左右の二辺が未定画像要素の左右の二辺に重なるように、放画領域に対して未定画像要素が位置決めされる。また例えばはがきサイズでマージン無しの設定の場合、放画領域Ｂは未定画像要素に対して相対的に縦長であるため、放画領域Ｂの上下の二辺が未定画像要素の上下の二辺に重なるように、放画領域に対して未定画像要素が位置決めされる。本実施例では、未定画像要素のレイアウト枠は放画領域と一致するように画一的に定義される。【００４６】  次に、ＰＣ１の作動について説明する。
ＰＣ１はＯＳを介してユーザから実行が指示されることでレイアウト編集プログラムの実行を開始する。レイアウト編集プログラムの実行を開始すると、ＰＣ１は始めに図８に示す未定画像要素の向き（縦又は横）を選択するための用紙方向設定ウィンドウ４１を表示する。ユーザにより用紙方向設定ウィンドウ４１で未定画像要素の向きが選択されると、ボタン２７をクリックした状態の画面が表示装置１５の画面に表示される。尚、図１及び図４に示す例では、ユーザによって縦向きが選択された場合に表示される画面を表している。【００４７】  図１又は図４に示す画面上で画像要素を配置する操作が完了すると、Ｌ判サイズマージン有り、Ｌ判サイズマージン無し、はがきサイズマージン有り、はがきサイズマージン無しに印刷条件が設定されたページについて、それぞれ画像要素のレイアウト枠を定義したスクリプトを記述したレイアウト定義ファイルが作成される。
画像要素のレイアウト枠をページ座標系で定義するには、画像要素の画面上の位置を表す座標を用紙サイズ、マージン、及び画面の解像度の設定に応じてプリンタ座標系に変換すればよい。例えば、画面上に配置された画像要素の位置を、未定画像要素の左上角の座標を原点（０，０）とする表示装置１５の画面座標系で表すと、例えばＬ判サイズ及びマージン有りの印刷設定に対応する放画領域Ａと一致する未定画像要素の領域は図７に示すように左上角が（０、ａ）、右下角が（ｂ、ｃ）である。ここでａ、ｂ及びｃは用紙サイズ、マージン、及び画面の解像度の設定によって一意に特定される座標である。ページ座標系では、放画領域Ａは図６に示したように（３、３）、（１３２６、１８５０）で表される。従って画面座標系の（０、ａ）はページ座標系の（３、３）に変換し、画面座標系の（ｂ、ｃ）はページ座標系の（１３２６、１８５０）に変換することになる。より具体的には、Ｌ判サイズマージン有りの印刷設定で放画領域Ａ全体に未定画像要素を配置する場合、図３に示すスクリプト２が定義される。尚、レイアウト枠と画像要素のアスペクト比が一致しない場合、例えば、画像要素の外縁にレイアウト枠が内接するように画像要素を配置し、レイアウト枠内の画像要素の領域をクリッピングして表示することにより、レイアウト枠いっぱいに画像要素を配置することができる。はがきサイズマージン無しの印刷設定で放画領域Ｂ全体に未定画像要素を配置する場合についても同様であり、放画領域Ｂに対応する未定画像要素の領域（ｄ、０）、（ｅ、ｆ）は、ページ座標系の（０、０）、（１６８２、２５９９）に変換することになる。ここでｄ、ｅ及びｆは用紙サイズ、マージン、及び画面の解像度の設定によって一意に特定される座標である。【００４８】  尚、第一実施例では、既定画像要素及び未定画像要素が配置されるページのレイアウトを編集することによって所謂テンプレートを作成するレイアウト編集装置について説明したが、既定画像要素のみが配置されるページのレイアウトを編集するレイアウト編集装置にも本発明を適用できることは当然である。【００４９】  （第二実施例）
本発明の第二実施例による印刷制御プログラムは、ユーザによって印刷対象領域として設定された矩形領域をプリンタに印刷させる印刷制御装置として、上述したＰＣ１、スタンドアロン型プリンタ、ディジタルカメラ、ＰＤＡ（Ｐｅｒｓｏｎａｌ  Ｄｉｇｉｔａｌ  Ａｓｓｉｓｔａｎｔｓ）、ディジタルテレビ受像器、携帯電話等の電子機器を機能させる。これらの電子機器が印刷制御プログラムを実行することによって本発明の印刷結果表示方法が実施される。本発明の印刷結果表示方法を実施するこれらの電子機器は、印刷制御プログラムを実行するプロセッサと、印刷制御プログラムがロードされるメモリと、印刷制御プログラムが格納されている不揮発性記憶媒体と、ＬＣＤ等のドットマトリクス式の表示装置と、十字キー、押しボタンスイッチ等の入力装置とを備えている。以下、図２に示したＰＣ１を例にして本発明の第二実施例を説明する。【００５０】  図９は、本発明の第二実施例による印刷制御プログラムによって表示される画面を説明するための模式図である。図９に示す画像要素３６は、印刷制御プログラムがＣＰＵ１１で実行されることによって図２に示す表示装置１５の画面上の所定領域（画面全体、ウィンドウ等）に表示される。印刷制御プログラムは、画像要素３６が配置されるページについて印刷メニューが選択されると起動される。画像要素３６は、例えばディジタルカメラによって記録された写真画像データ、図形描画アプリケーションによって作成された図形データ等に基づいて表示装置１５の画面に表示される。【００５１】  印刷制御プログラムは、例えば図示しない所定のアイコン（例えば「切り取り」ボタン）に対するクリックなどの所定のイベントが発生すると、矩形の印刷対象領域を示す外枠４０又は内枠３８を画像要素３６の上の所定位置に所定のアスペクト比で配置する。印刷条件として四辺マージン有りが設定されている場合、外枠４０又は内枠３８のいずれか一方が表示される。【００５２】  印刷制御プログラムは、印刷条件として四辺マージン無しが設定されている場合、外枠４０の内側に内枠３８を表示する。内枠３８の内側の領域は印刷用紙上に印刷される領域である。内枠３８と外枠４０との間の領域は印刷用紙上に印刷されない領域である。内枠３８のアスペクト比は、設定されている印刷用紙サイズ３４のアスペクト比に一致している。外枠４０のアスペクト比は、四辺マージン無しの設定で印刷するときに印刷用紙３４からはみ出して印刷される領域の外縁３２のアスペクト比に一致している。すなわち、外枠４０のアスペクト比は四辺マージン無しの設定に対応する放画領域のアスペクト比に一致している。印刷用紙サイズ３４に余白無く画像を印刷するためには、例えば上下左右それぞれ２．５ｍｍずつ印刷用紙サイズ３４から画像がはみ出すように印刷する。この場合、放画領域は印刷用紙サイズ３４と一致する領域とその周囲２．５ｍｍの幅の領域とを合併させた領域になる。【００５３】  印刷制御プログラムは、内枠３８の内側と外側で画像要素３６の表示形式を変えることによって、ユーザに印刷用紙からはみ出して印刷される領域を認識させる。具体的には例えば外枠４０と内枠３８の間にハッチング、規則的に並んだ多数の点等を画像要素３６の上に表示したり、内枠３８の外側に画像要素３６の明るさや色調を変えるフィルタ処理を適用したりする。外枠４０と内枠３８の間に画像要素３６を表示することにより、印刷用紙上に印刷されない領域の画像の内容を確認できる状態で印刷対象領域を画面上で設定することが可能になる。【００５４】  尚、印刷制御プログラムは、内枠３８の内側と外側とで表示形式を一致させてもよいし、内枠３８と外枠４０の間では画像要素３６を非表示にしてもよい。内枠３８の内側と外側とで表示形式が一致している場合であっても、ユーザは外枠３８の内側のどの領域が印刷用紙上に印刷されるかを認識でき、また、ユーザは印刷用紙上に印刷されない領域の画像の内容を確認できる状態で印刷対象領域を画面上で設定することができる。内枠３８と外枠４０の間で画像要素３６を非表示にする場合、ユーザは印刷用紙上に印刷されない領域の画像の内容を画面で確認できないものの、外枠４０の内側のどの領域が印刷用紙上に印刷されるかを認識できる状態で印刷対象領域を画面上で設定することができる。【００５５】  印刷制御プログラムは、ユーザによる外枠４０又は内枠３８の移動操作及び拡大縮小操作を画面上で受け付ける。ただし印刷制御プログラムは、外枠４０又は内枠３８のアスペクト比の変更を伴う拡大縮小操作は受け付けない。外枠４０及び内枠３８のアスペクト比は、印刷用紙サイズ３４とマージン設定によって決まるからである。具体的には、印刷対象領域の移動操作は、例えば外枠４０又は内枠３８の直線部分のドラッグによって受け付ける。また印刷対象領域の拡大縮小操作は、外枠４０又は内枠３８の角部のドラッグによって受け付ける。【００５６】  画面上の所定のアイコン（例えば「印刷」ボタン）に対するクリックなどの所定のイベントが発生すると、印刷制御プログラムは画像要素の外枠４０の内側領域に対応する印刷データを、設定されている印刷条件に基づいて作成し、印刷データをプリンタに出力し、印刷データに基づいて画像要素の外枠４０の内側領域をプリンタに印刷させる。尚、外枠４０の内側領域に対応する画像データと、印刷用紙サイズ設定、マージン設定等の印刷条件とをプリンタに出力し、プリンタに印刷条件に基づいて画像データを印刷データに変換させてもよい。四辺マージン無しの印刷条件が設定されている場合、プリンタによる印刷処理の結果、画像要素３６の内枠３８の内側領域が印刷用紙３４の紙面いっぱいにマージン無しで印刷される。【００５７】  尚、上記第二実施例では、１つの画像要素３６で構成されるページに印刷対象領域を設定したが、複数の画像要素が配置されるページの一部に印刷対象領域を設定してもよい。
また、上記第二実施例では、ＰＣ１がプリンタに印刷指示を出力したが、ＰＣ１から独立して作動可能なスタンドアロン型プリンタにおいて、制御部から印刷指示を出力し、プリンタエンジンで印刷してもよい。また、プリンタと直接接続されプリンタを制御可能なディジタルカメラ、携帯電話、ＰＤＡ、ディジタルテレビ受像器、携帯電話等の電子機器において上記制御プログラムを実行し、これらの電子機器からプリンタに印刷指示を出力してもよい。
【図１】
2004102373.tif 000003
【図２】
2004102373.tif 000004
【図３】
2004102373.tif 000005
【図４】
2004102373.tif 000006
【図５】
2004102373.tif 000007
【図６】
2004102373.tif 000008
【図７】
2004102373.tif 000009
【図８】
2004102373.tif 000010
【図９】
2004102373.tif 000011
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
ページ内の印刷用紙上に印刷される第一領域に配置されている画像要素と前記ページ内の前記印刷用紙上に印刷されない第二領域に配置されている画像要素とを互いに異なる形式で画面表示することを特徴とする印刷結果表示方法。
【請求項２】
前記第二領域は、前記ページがマージン無しの設定で印刷されると前記印刷用紙からはみ出す領域であることを特徴とする請求項１に記載の印刷結果表示方法。
【請求項３】
前記第二領域の外側にある印刷対象とならない第四領域を前記第二領域と異なる形式で画面表示することを特徴とする請求項２に記載の印刷結果表示方法。
【請求項４】
前記ページの印刷用紙サイズの設定が変更された場合、前記ページに配置されている画像要素の画面上の大きさを実質的に変更せずに、前記第一領域と前記第二領域の境界を前記印刷用紙サイズのアスペクト比に応じて変更することを特徴とする請求項１に記載の印刷結果表示方法。
【請求項５】
印刷用紙サイズのアスペクト比に対応したアスペクト比の矩形領域を前記画面に表示する段階と、
マージン無しの印刷条件が設定されている場合、前記矩形領域内に前記第一領域と前記第二領域とを表示した前記画面を介して、前記矩形領域のアスペクト比を一定に維持した拡大縮小操作を受け付ける段階と、
マージン無しの印刷条件が設定されている場合、前記画像要素の前記矩形領域内の印刷をマージン無しの設定で指示する段階と、
を含むことを特徴とする請求項１に記載の印刷結果表示方法。
【請求項６】
印刷用紙サイズのアスペクト比に対応したアスペクト比の矩形領域を前記画面に表示する段階と、
マージン無しの印刷条件が設定されている場合、前記矩形領域を前記第一領域として表示し前記矩形領域の周囲を前記第二領域として表示した前記画面を介して、前記矩形領域のアスペクト比を一定に維持した拡大縮小操作を受け付ける段階と、
マージン無しの印刷条件が設定されている場合、前記画像要素の前記第一領域と前記第二領域を合併させた第三領域内の印刷をマージン無しの設定で指示する段階と、
を含むことを特徴とする請求項１に記載の印刷結果表示方法。
【請求項７】
ページに画像要素を配置する段階と、
前記ページ内の印刷用紙上に印刷される第一領域に配置されている前記画像要素と前記ページ内の前記印刷用紙上に印刷されない第二領域に配置されている前記画像要素とを互いに異なる形式で画面表示する段階と、
前記ページのレイアウトを保存する段階と、
を含むことを特徴とするレイアウト編集方法。
【請求項８】
前記第二領域は、マージン無しの設定で印刷されると前記印刷用紙からはみ出す領域であることを特徴とする請求項７に記載のレイアウト編集方法。
【請求項９】
印刷用紙サイズの設定が変更された場合、前記ページ内に配置されている画像要素の画面上の大きさを実質的に変更せずに、前記第一領域と前記第二領域の境界を前記印刷用紙サイズのアスペクト比に応じて変更することを特徴とする請求項７に記載のレイアウト編集方法。
【請求項１０】
前記画面表示する段階において、前記ページ内の配置が予め決められている未定の画像要素に対応する領域を前記ページに配置されている既定の前記画像要素とともに表示した画面を介して前記既定の画像要素の配置の変更操作を受け付け、
前記配置する段階において、前記変更操作に応じて前記既定の画像要素を前記ページに配置することを特徴とする請求項６に記載のレイアウト編集方法。
【請求項１１】
ページ内の印刷用紙上に印刷される第一領域に配置されている画像要素と前記ページ内の前記印刷用紙上に印刷されない第二領域に配置されている画像要素とを互いに異なる形式で画面表示する手段と、
前記ページの印刷指示を出力する手段と、
を備えることを特徴とする印刷制御装置。
【請求項１２】
前記画面表示する手段は、前記第二領域の外側にある印刷対象とならない第四領域を前記第二領域と異なる形式で画面表示することを特徴とする請求項１１に記載の印刷制御装置。
【請求項１３】
印刷用紙サイズのアスペクト比に対応したアスペクト比の矩形領域を前記画面に表示する手段と、
マージン無しの印刷条件が設定されている場合、前記矩形領域内に前記第一領域と前記第二領域とを表示した前記画面を介して、前記矩形領域のアスペクト比を一定に維持した状態で拡大縮小操作を受け付ける手段と、
マージン無しの印刷条件が設定されている場合、前記画像要素の前記矩形領域内の印刷をマージン無しの設定で指示する手段と、
を備えることを特徴とする印刷制御装置。
【請求項１４】
印刷用紙サイズのアスペクト比に対応したアスペクト比の矩形領域を前記画面に表示する手段と、
マージン無しの印刷条件が設定されている場合、前記矩形領域を前記第一領域として表示し前記矩形領域の周囲を前記第二領域として表示した前記画面を介して、前記矩形領域のアスペクト比を一定に維持した拡大縮小操作を受け付ける手段と、
マージン無しの印刷条件が設定されている場合、前記画像要素について前記第一領域と前記第二領域を合併させた第三領域内の印刷をマージン無しの設定で指示する手段と、
を含むことを特徴とする印刷制御装置。
【請求項１５】
ページ内の印刷用紙上に印刷される第一領域に配置されている画像要素と前記ページ内の前記印刷用紙上に印刷されない第二領域に配置されている画像要素とを互いに異なる形式で画面表示する手段と、
前記ページの印刷指示を出力する手段と、
としてコンピュータを機能させることを特徴とする印刷制御プログラムを記録したコンピュータ読み取り可能な記録媒体。
【請求項１６】
印刷用紙サイズのアスペクト比に対応したアスペクト比の矩形領域を前記画面に表示する手段と、
マージン無しの印刷条件が設定されている場合、前記矩形領域を前記第一領域として表示し前記矩形領域の周囲を前記第二領域として表示した前記画面を介して、前記矩形領域のアスペクト比を一定に維持した拡大縮小操作を受け付ける手段と、
マージン無しの印刷条件が設定されている場合、前記画像要素の前記第一領域と前記第二領域を合併させた第三領域内の印刷をマージン無しの設定で指示する手段と、
としてコンピュータを機能させることを特徴とする印刷制御プログラムを記録したコンピュータ読みとり可能な記録媒体。
【請求項１７】
印刷用紙サイズのアスペクト比に対応したアスペクト比の矩形領域を前記画面に表示する手段と、
マージン無しの印刷条件が設定されている場合、前記矩形領域を前記第一領域として表示し前記矩形領域の周囲を前記第二領域として表示した前記画面を介して、前記矩形領域のアスペクト比を一定に維持した拡大縮小操作を受け付ける手段と、
マージン無しの印刷条件が設定されている場合、前記画像要素について前記第一領域と前記第二領域を合併させた第三領域内の印刷をマージン無しの設定で指示する手段と、
としてコンピュータを機能させることを特徴とする印刷制御プログラムを記録したコンピュータ読み取り可能な記録媒体。
【手続補正２】
【補正対象書類名】明細書
【補正対象項目名】００４１
【補正方法】変更
【補正の内容】
【００４１】
ボタン２８がクリックされると、用紙サイズがＬ判サイズに設定され、マージンがフチ有りに設定されたページのプレビューが表示されたプレビューウィンドウ２１に既定画像要素を配置可能なモードに遷移する。このモードでは、図１に示すように、Ｌ判の印刷用紙に対応する用紙の外縁２０と、未定画像要素に対応する領域の外縁２４が表示される。図５（Ａ）は、図１に示す画面上のレイアウトが実際に印刷されたＬ判サイズの印刷用紙を示している。尚、図５ではハッチングを付した領域は未定画像要素として写真画像が印刷された領域を示している。
【国際調査報告】
2004102373.tif 000012
2004102373.tif 000013
2004102373.tif 000014
2004102373.tif 000015
2004102373.tif 000016
2004102373.tif 000017
2004102373.tif 000018